(57)【要約】【課題】指詰め事故を防止するとともに各障子Ｗの外れ止めをする。【解決手段】各障子Ｗの上框Ｗ1 の戸先側において他方の障子Ｗの召合せ框Ｗ4 に対応するようにそれぞれ固定する第１の規制部材１０、１０と、一方の障子Ｗの下框Ｗ2 の戸先側において他方の障子Ｗの召合せ框Ｗ4 に対応するように固定する第２の規制部材２０とを設ける。【選択図】図１
2015187355.tif 000002
【特許請求の範囲】
【請求項１】
引違い形式のサッシの各障子の上框の戸先側において他方の障子の召合せ框に対応するようにそれぞれ固定する第１の規制部材と、一方の障子の下框の戸先側において他方の障子の召合せ框に対応するように固定する第２の規制部材とを備えてなり、前記各第１の規制部材は、戸当り機能と障子の外れ止め機能とを有し、前記第２の規制部材は、戸当り機能を有することを特徴とするサッシ用のアタッチメント装置。
【請求項２】
前記第１の規制部材は、上框にねじ止めする戸当り用のベース材と、該ベース材に上下に調節設定可能に搭載する上向きの外れ止め用の規制片とを組み合わせることを特徴とする請求項１記載のサッシ用のアタッチメント装置。
【請求項３】
前記規制片は、水平のセレーションを介して前記ベース材にねじ止めすることを特徴とする請求項２記載のサッシ用のアタッチメント装置。
【請求項４】
前記第２の規制部材は、共通の障子上の前記第１の規制部材と揃えて下框にねじ止めする戸当り用のブロック材とすることを特徴とする請求項１ないし請求項３のいずれか記載のサッシ用のアタッチメント装置。
【請求項５】
前記第１、第２の規制部材には、それぞれ共通のカバーを着脱自在に付設することを特徴とする請求項１ないし請求項４のいずれか記載のサッシ用のアタッチメント装置。
【発明の詳細な説明】
【技術分野】
【０００１】
この発明は、建築物の出入口や窓などに設置する引違い形式のサッシにおいて、指詰め事故の防止と障子の外れ止めとを同時に実現することができるサッシ用のアタッチメント装置に関する。
【背景技術】
【０００２】
引違い形式の窓サッシに使用する戸当り兼用の外れ止め装置が提案されている（特許文献１）。
【０００３】
従来の戸当り兼用の外れ止め装置は、上枠端部の内外レール間にブロック材を装着する。ブロック材は、室内側の障子の開放限を制限して室内側の障子に付設するクレセント錠の操作部を保護するための戸当りとして作用するとともに、室外側の障子の浮き上りによる戸車の外れを防止することができるように、高さが異なる２組の直方体を並設するような形態に一体成形されている。ただし、室内側の障子の戸当り用として、下枠端部にも補助用のブロック材を装着するものとする。
【先行技術文献】
【特許文献】
【０００４】
【特許文献１】実公平６−４０３１２号公報
【発明の概要】
【発明が解決しようとする課題】
【０００５】
かかる従来技術によるときは、上枠端部の内外レール間に装着するブロック材は、室内側の障子の開放限を制限するものの、室内側の障子の戸先側の縦框が室外側の障子の召合せ框に接近し過ぎ、両方の障子間の隙間に指を挟んで思わぬ指詰め事故を生じるおそれがある上、室内側の障子の外れ止め機能がないため、室内側の障子を乱暴に開放操作すると、室内側の障子が戸枠から外れてしまうことがあるという問題があった。
【０００６】
そこで、この発明の目的は、かかる従来技術の問題に鑑み、戸当り機能、障子の外れ止め機能を有する第１の規制部材と、戸当り機能を有する第２の規制部材とを併用することによって、指詰め事故を有効に防止するとともに、各障子の外れ止めをすることができるサッシ用のアタッチメント装置を提供することにある。
【課題を解決するための手段】
【０００７】
かかる目的を達成するためのこの発明の構成は、引違い形式のサッシの各障子の上框の戸先側において他方の障子の召合せ框に対応するようにそれぞれ固定する第１の規制部材と、一方の障子の下框の戸先側において他方の障子の召合せ框に対応するように固定する第２の規制部材とを備えてなり、各第１の規制部材は、戸当り機能と障子の外れ止め機能とを有し、第２の規制部材は、戸当り機能を有することをその要旨とする。
【０００８】
なお、第１の規制部材は、上框にねじ止めする戸当り用のベース材と、ベース材に上下に調節設定可能に搭載する上向きの外れ止め用の規制片とを組み合わせることができ、規制片は、水平のセレーションを介してベース材にねじ止めすることができる。
【０００９】
また、第２の規制部材は、共通の障子上の第１の規制部材と揃えて下框にねじ止めする戸当り用のブロック材としてもよく、第１、第２の規制部材には、それぞれ共通のカバーを着脱自在に付設してもよい。
【発明の効果】
【００１０】
かかる発明の構成によるときは、上框、下框の各戸先側にそれぞれ第１、第２の規制部材を固定する一方の障子は、開放方向に乱暴に操作したとしても、戸当り機能を有する第１、第２の規制部材が他方の障子の召合せ框に当接し、開放限が適切に規制されて戸先側の縦框が他方の障子の召合せ框に接近し過ぎたり重なり合ったりすることがなく、２枚の障子の間に指が挟まれる指詰め事故を有効に防止することができる。また、各障子の上框の戸先側に固定する第１の規制部材は、障子の外れ止め機能を有するため、各障子の浮き上りによる戸車の外れを防止し、不用意に各障子の外れを生じるおそれがない。
【００１１】
なお、上框、下框の各戸先側にそれぞれ第１、第２の規制部材を固定する一方の障子は、クレセント錠の操作部を付設する室内側の障子とし、上框の戸先側にのみ第１の規制部材を固定する他方の障子は、室外側の障子とするのが好ましい。第１、第２の規制部材を介し、開閉頻度が高い室内側の障子の開放限を規制して安全に制限することができるからである。ただし、第１、第２の規制部材を室外側の障子の上框、下框の各戸先側に固定し、第１の規制部材を室内側の障子の上框の戸先側にのみ固定してもよいものとする。
【００１２】
ベース材と規制片とを組み合わせる第１の規制部材は、ベース材を介して戸当り機能を発揮し、規制片を介して障子の外れ止め機能を発揮する。ただし、上向きの規制片は、上枠に接触しない最大高さにセットして障子の浮き上りを防止する。
【００１３】
水平のセレーションを介してベース材にねじ止めする規制片は、セレーションの形成ピッチ単位に上下に容易に、しかも安定に調節設定することができる。なお、セレーションの断面形状は、Ｖ字状が好ましく、形成ピッチは、たとえば０．５〜１mm程度が好ましい。
【００１４】
第２の規制部材は、第１の規制部材と揃えて下框にねじ止めすることにより、戸当りとして第１の規制部材と同時に他方の障子の召合せ框の上下に当接するため、各障子に有害な「しゃくり」を生じるおそれがない。
【００１５】
第１、第２の規制部材は、それぞれ共通のカバーを付設することにより、外観を端正に整えることができる。なお、カバーは、たとえば第１の規制部材のベース材、第２の規制部材を固定する止めねじ用の孔に弾発的に係止させて着脱可能とするとともに、第１の規制部材の規制片用の止めねじの緩み止めをも兼ねることができる。
【図面の簡単な説明】
【００１６】
【図１】全体構成模式斜視図（１）
【図２】全体構成模式斜視図（２）
【図３】第１の規制部材の組立手順を示す斜視説明図
【図４】ベース材の構成説明図
【図５】規制片の構成説明図
【図６】カバーの構成説明図
【図７】第２の規制部材の組立手順を示す斜視説明図
【図８】ブロック材の構成説明図
【図９】使用状態を示す図１のＡ矢視相当模式図
【図１０】図９の要部拡大模式図
【発明を実施するための形態】
【００１７】
以下、図面を以って発明の実施の形態を説明する。
【００１８】
サッシ用のアタッチメント装置は、引違い形式のサッシの障子Ｗ、Ｗに固定する第１の規制部材１０、１０、第２の規制部材２０を備えてなる（図１、図２）。ただし、図１、図２は、それぞれ室外側、室内側から見る全体構成模式斜視図である。
【００１９】
引違い形式のサッシは、図示しない戸枠に室内側、室外側の障子Ｗ、Ｗを組み込んで構成されている。各障子Ｗは、上框Ｗ1 、下框Ｗ2 、戸先側の縦框Ｗ3 、召合せ框Ｗ4 を枠状に組み立て、図示しないパネル板を内部に嵌め込んでいる。なお、各障子Ｗのパネル板は、透明または不透明のいずれであってもよく、ガラス、プラスチック、木材などのいずれであってもよい。
【００２０】
第１の規制部材１０、１０は、各障子Ｗの上框Ｗ1 の戸先側において、他の障子Ｗの召合せ框Ｗ4 に対応するようにしてそれぞれ固定されている。また、第２の規制部材２０は、一方の障子Ｗの下框Ｗ2 の戸先側において、他の障子Ｗの召合せ框Ｗ4 に対応するようにして固定されている。第２の規制部材２０は、共通の障子Ｗ上の第１の規制部材１０に対し、水平方向に位置を揃えて固定されている。そこで、第１、第２の規制部材１０、２０は、他方の障子Ｗの召合せ框Ｗ4 に対し、同時に当接して一方の障子Ｗの開放限を制限することができる。
【００２１】
各第１の規制部材１０は、ベース材１１、上向きの規制片１２、カバー１３を組み合わせて構成されている。また、第２の規制部材２０は、ブロック材２１、カバー２２を組み合わせている。ただし、カバー１３、２２は、同形同大に形成され、共通に使用可能である。また、ベース材１１、規制片１２、カバー１３、２２、ブロック材２１は、それぞれ硬質のプラスチック材料により一体成形されている。
【００２２】
第１の規制部材１０のベース材１１は、横長のブロック状に形成されている（図３（Ａ）、図４）。ただし、図４（Ａ）〜（Ｆ）は、それぞれベース材１１の正面図、下面図、右側面図、背面図、同図（Ｄ）のＸ−Ｘ線矢視相当断面図、同図（Ａ）のＹ−Ｙ線矢視相当要部拡大断面図である。
【００２３】
ベース材１１の両端部には、取付用の段付孔１１ａ、１１ａが形成されており、各段付孔１１ａには、横向きの小孔１１ｂが外向きに開口されている。また、ベース材１１の上面中央部には、凹溝１１ｃが形成され、凹溝１１ｃの底面には、水平のセレーション１１ｄ、１１ｄ…が形成され、小径のねじ孔１１ｅ、１１ｅが形成されている。セレーション１１ｄ、１１ｄ…は、断面Ｖ字状に形成され、凹溝１１ｃの底面に等ピッチに形成されている。さらに、ベース材１１の裏面側には、段付孔１１ａ、凹溝１１ｃを避けるようにして、段付きの凹部１１ｆ、１１ｆ…が対称的に形成されている。
【００２４】
ベース材１１は、取付用の段付孔１１ａ、１１ａを利用するタッピングねじ１４、１４を介し、障子Ｗの上框Ｗ1 の戸先側にねじ止めすることができる。なお、タッピングねじ１４、１４は、上框Ｗ1 にあらかじめ開口する下穴１４ａ、１４ａにねじ込むものとする。
【００２５】
規制片１２は、ベース材１１の凹溝１１ｃに適合する縦長の板状に形成されている（図３（Ｂ）、図５）。ただし、図５（Ａ）〜（Ｆ）は、それぞれ規制片１２の正面図、右側面図、上面図、背面図、同図（Ａ）のＸ−Ｘ線矢視相当断面図、同図（Ｅ）の要部拡大図である。
【００２６】
規制片１２の上端は、円弧状に形成されている。また、規制片１２の下部には凹部１２ｂを介して左右の縦方向の長孔１２ａ、１２ａが形成されている。規制片１２の裏面側上部には、上辺が円弧状の盾状の凹部１２ｃが形成され、下半部には、水平のセレーション１２ｄ、１２ｄ…が形成されている。規制片１２の幅、厚さは、ベース材１１の凹溝１１ｃの幅、深さに適合しており、セレーション１２ｄ、１２ｄ…は、ベース材１１のセレーション１１ｄ、１１ｄ…に適合している。
【００２７】
規制片１２は、長孔１２ａ、１２ａを介してベース材１１のねじ孔１１ｅ、１１ｅにねじ込む止めねじ１５、１５により、ベース材１１の凹溝１１ｃに嵌め込むようにしてベース材１１に上向きに搭載してねじ止めすることができる。なお、規制片１２は、セレーション１２ｄ、１２ｄ…がベース材１１のセレーション１１ｄ、１１ｄ…に係合し、セレーション１２ｄ、１２ｄ…、１１ｄ、１１ｄ…の１ピッチ単位に上下に調節設定可能である。
【００２８】
カバー１３は、ベース材１１の外形に適合する平板１３ａの裏面側に円筒状の脚部１３ｂ、１３ｂを立設して形成されている（図３（Ｃ）、図６）。ただし、図６（Ａ）〜（Ｃ）は、それぞれカバー１３の上面図、右側面図、背面図である。
【００２９】
平板１３ａは、表面側の全周が円弧状に滑らかに仕上げられている。また、各脚部１３ｂには、横方向にすり削り１３ｃ、１３ｃが形成されており、ほぼ半球状の係合突部１３ｄが外向きに形成されている。ただし、脚部１３ｂ、１３ｂは、ベース材１１の段付孔１１ａの大径部分に適合し、係合突部１３ｄは、ベース材１１の横向きの小孔１１ｂに適合している。
【００３０】
カバー１３は、脚部１３ｂ、１３ｂを段付孔１１ａ、１１ａに嵌め込むことにより、ベース材１１の上面、規制片１２の下部を覆うようにしてベース材１１に着脱自在に装着することができる。なお、このとき、カバー１３の各脚部１３ｂの係合突部１３ｄは、ベース材１１の対応する小孔１１ｂに弾発的に係合し、カバー１３を外れ止めする。
【００３１】
第２の規制部材２０のブロック材２１は、第１の規制部材１０のベース材１１と同大の横長のブロック状に形成されている（図７（Ａ）、図８）。ただし、図８（Ａ）〜（Ｅ）は、それぞれブロック材２１の正面図、下面図、右側面図、背面図、同図（Ｄ）のＸ−Ｘ線矢視相当断面図である。
【００３２】
ブロック材２１の両端部には、取付用の段付孔２１ａ、２１ａが形成されており、各段付孔２１ａには、横向きの小孔２１ｂが外向きに開口されている。ただし、各段付孔２１ａ、小孔２１ｂは、第１の規制部材１０のベース材１１の各段付孔１１ａ、小孔１１ｂと同一サイズ、同一ピッチに形成されている。ブロック材２１の裏面側には、段付孔２１ａを避けるようにして、凹部２１ｆ、２１ｆ…が対称的に形成されている。
【００３３】
ブロック材２１は、取付用の段付孔２１ａ、２１ａを利用するタッピングねじ２３、２３を介して障子Ｗの下框Ｗ2 の戸先側にねじ止めすることができる。なお、タッピングねじ２３、２３は、下框Ｗ2 にあらかじめ開口する下穴２３ａ、２３ａにねじ込むものとする。
【００３４】
第２の規制部材２０のカバー２２は、第１の規制部材１０のカバー１３と共通である（図７（Ｂ））。すなわち、カバー２２は、カバー１３の平板１３ａ、脚部１３ｂ、１３ｂに対応する平板２２ａ、脚部２２ｂ、２２ｂを有する。そこで、カバー２２は、ブロック材２１の段付孔２１ａ、２１ａに脚部２２ｂ、２２ｂを嵌め込んでブロック材２１の上面に着脱自在に装着することができる。
【００３５】
一方の障子Ｗの戸先側の上下に固定する第１、第２の規制部材１０、２０は、その障子Ｗを開放方向に操作すると、戸当り用のベース材１１、ブロック材２１が他方の障子Ｗの召合せ框Ｗ4 に同時に当接して開放限を適切に規制することができる（図１、図９）。すなわち、第１、第２の規制部材１０、２０は、それぞれ戸当り機能を有し、障子Ｗの戸先側の縦框Ｗ3 が他方の障子Ｗの召合せ框Ｗ4 に接近し過ぎたり、召合せ框Ｗ4 と重なり合ったりすることがなく、障子Ｗ、Ｗ間に指を挟むことによる指詰め事故を有効に防止することができる。
【００３６】
図９において、障子Ｗ、Ｗは、それぞれ下框Ｗ2 に内装する前後の戸車Ｗa 、Ｗa を介して下枠Ｆ2 の下レールＦ2aに係合し、戸先側の縦框Ｗ3 、召合せ框Ｗ4 の上端にそれぞれねじ止めする前後のガイド部材Ｗb 、Ｗb を介して上枠Ｆ1 の上レールＦ1aに係合している。なお、各戸車Ｗa は、調節ねじＷa1を介して上下に調節設定可能であり、各上框Ｗ1 、各下框Ｗ2 には、それぞれ上レールＦ1a、下レールＦ2aに摺接するシール材Ｗ1a、Ｗ2aが付設されている。また、各障子Ｗ、Ｗには、四周のシーリング材Ｗ5a、Ｗ5a…を介してガラス板Ｗ5 が装着されている。ただし、図９において、各障子Ｗの前後の戸車Ｗa 、Ｗa は、１個のみが図示されており、前後のガイド部材Ｗb 、Ｗb は、室外側の障子Ｗ側の１個のみが図示されている。また、室内側の障子Ｗの戸先側の縦框Ｗ3 、召合せ框Ｗ4 は、図示が省略されている。
【００３７】
各第１の規制部材１０の規制片１２は、カバー１３を外して止めねじ１５、１５を緩めると、長孔１２ａ、１２ａの範囲内で、互いに係合する水平のセレーション１１ｄ、１１ｄ…、１２ｄ、１２ｄ…のピッチ単位に上下に調節設定することができる。そこで、規制片１２は、障子Ｗ、Ｗ用の戸枠について、上枠Ｆ1 、下枠Ｆ2 の撓みに起因して生じる上下方向の最小開口位置においても上枠Ｆ1 の下面に接触しない最大高さにセットすることにより（図１０）、障子Ｗの浮き上りによる戸車Ｗa の外れを防止し、障子Ｗの外れ止めをすることができる。すなわち、第１の規制部材１０は、障子Ｗの外れ止め機能を有し、このようにしてセットされた規制片１２は、カバー１３をベース材１１に装着することにより止めねじ１５、１５が緩み止めされ、長期に亘り安定に所期性能を維持することができる。
【００３８】
なお、図１、図２において、一方の障子Ｗ上の第１、第２の規制部材１０、２０が同時に他方の障子Ｗの召合せ框Ｗ4 に当接して前者の障子Ｗの開放限を規制するとき、後者の障子Ｗ上の第１の規制部材１０は、前者の障子Ｗの召合せ框Ｗ4 に対し、前者の障子Ｗ上の第１、第２の規制部材１０、２０が後者の障子Ｗの召合せ框Ｗ4 に当接すると同時に当接するか、全く当接しないようにすることが好ましい。第２の規制部材２０を伴うことなく第１の規制部材１０だけで障子Ｗの開放限を制限すると、障子Ｗに過大な暴れを生じたり、それに起因して障子Ｗが過大に歪んだりするおそれがあるからである。また、図１、図２において、第２の規制部材２０は、室内側の障子Ｗに固定されているが、これに代えて、室外側の障子Ｗに固定してもよいものとする。
【産業上の利用可能性】
【００３９】
この発明は、建築物の出入口や窓などに設置する引違い形式のサッシに対し、広く好適に適用することができ、開閉操作が乱暴になりがちな学校などの公共建物のサッシに対し、殊に好適である。
【符号の説明】
【００４０】
Ｗ…障子
Ｗ1 …上框
Ｗ2 …下框
Ｗ4 …召合せ框
１０…第１の規制部材
１１…ベース材
１１ｄ…セレーション
１２…規制片
１２ｄ…セレーション
１３…カバー
２０…第２の規制部材
２１…ブロック材
２２…カバー
特許出願人      小松ウオール工業株式会社
【図１】
2015187355.tif 000003
【図２】
2015187355.tif 000004
【図３】
2015187355.tif 000005
【図４】
2015187355.tif 000006
【図５】
2015187355.tif 000007
【図６】
2015187355.tif 000008
【図７】
2015187355.tif 000009
【図８】
2015187355.tif 000010
【図９】
2015187355.tif 000011
【図１０】
2015187355.tif 000012